(57)【要約】【課題】磁力によって液体の活性化等を行う際に、磁石数を多く必要とすることなく、しかも大型とする必要がなく、液体に対して効果的に磁力を作用させる構造とする。【解決手段】永久磁石の磁力を液体に作用させる磁気処理部３と、磁気処理部３の磁力領域内を液体が往復方向に移動するように磁気処理部３の内部に配置された管路部２とを有する。管路部３が液体を供給する配管の途中に挿入されて配管２０の一部を構成する。【選択図】　　　　　図１
2004050002.tif 000002
【特許請求の範囲】
【請求項１】
永久磁石の磁力を液体に作用させる磁気処理部と、磁気処理部の磁力領域内を液体が往復方向に移動するように磁気処理部の内部に配置された管路部とを有し、前記管路部が液体を供給する配管の途中に挿入されて配管の一部を構成することを特徴とする磁気処理装置。
【請求項２】
前記磁気処理部及び管路部が組み付けられた状態でケース内に収納されており、前記配管との接続を行う接続口がケースの外側に設けられていることを特徴とする請求項１記載の磁気処理装置。
【発明の詳細な説明】
【０００１】
【発明の属する技術分野】
本発明は、永久磁石の磁力を利用することによって液体の活性化を行うと共に、液体が通過する配管内のスケール、スライム、錆等の抑制、除去を行う磁気処理装置に関する。
【０００２】
【従来の技術】
永久磁石を水道配管や燃料系配管の途中に設置して磁力を作用させることにより、水道水の水質改善や燃料の燃焼効率の改善が可能となると共に、配管内部のスケール、スライムや錆の抑制、除去が可能となることが知られており、このため、磁気処理装置が一般水道水、農業、水産加工、工業用の用水や廃水処理システム等の広い分野で使用されている。
【０００３】
従来の磁気処理装置としては、Ｎ極とＳ極とが配管を挟んで対向するように配置することによりその引力を利用するものや、Ｎ極とＮ極、Ｓ極とＳ極とが配管を挟んで対向するように配置することによりその斥力を利用するものや、Ｎ極とＳ極とを一直線状に交互に配置して、配管の周囲に巻き付けるもの等の種々の構造のものが開発されている。
【０００４】
【発明が解決しようとする課題】
従来の磁気処理装置は、配管の外側に取り付けられるところから、配管の径に合わせたものが使用されている。従って、配管の径が小さい場合には、装置自体も小さくなり、使用可能な磁石数が限定されるため、大きな磁力を得ることができず、液体に対して効果的に磁力を作用させることができないものとなっている。これに対し、液体への作用を増大させるために磁石を多く用いる場合には、高価となり、経済的に不利益となっている。一方、配管の径が大きい場合には、装置が大型化して磁石の数が増えるため、大重量となり、それを支えるための専用台を設置する必要があり、大きなスペースを必要としている。
【０００５】
本発明はこのような従来の問題点を考慮してなされたものであり、磁石数を多く必要とすることなく、しかも大型とする必要がなく、液体に対して効果的に磁力を作用させることが可能な構造の磁気処理装置を提供することを目的とする。
【０００６】
【課題を解決するための手段】
上記目的を達成するため、請求項１の発明の磁気処理装置は、永久磁石の磁力を液体に作用させる磁気処理部と、磁気処理部の磁力領域内を液体が往復方向に移動するように磁気処理部の内部に配置された管路部とを有し、前記管路部が液体を供給する配管の途中に挿入されて配管の一部を構成することを特徴とする。
【０００７】
この発明では、管路部を配管途中に挿入することにより、配管内の液体が管路部内に導入される。管路部は液体を往復方向に移動させる構造となっており、この管路部が磁気処理部の内部に設けられることにより、導入された液体は磁気処理部の磁力領域内を往復方向に移動しながら磁気の作用を受ける。これにより、液体は長時間磁気の作用を受けるため、効果的な活性化等を行うことができる。従って、磁石の数を多くしたり、磁力を大きくすることなく、目的の磁気作用を液体に与えることができる。
【０００８】
請求項２の発明は、請求項１記載の磁気処理装置であって、前記磁気処理部及び管路部が組み付けられた状態でケース内に収納されており、前記配管との接続を行う接続口がケースの外側に設けられていることを特徴とする。
【０００９】
この発明では、磁気処理部及び管路部が組み付けられた状態でケース内に収納されていることから、磁気処理部、管路部を組み付ける必要がなく、設置が簡単となると共に取り扱い性が向上する。
【００１０】
【発明の実施の形態】
以下、本発明の実施の形態を図面に基づいて詳細に説明する。
図１〜図５は、本発明を水道管に適応した一実施の形態を示し、図１は全体斜視図、図２は管路部の斜視図、図３は管路部の平面図、図４は正面図、図５は側面図である。
【００１１】
この実施の形態の磁気処理装置１は、図１に示すように水道水の配管２０におけるメーターボックス２１の下流側に配置されるものであり、管路部２と、磁気処理部３と、ケース４とを備えている。
【００１２】
管路部２は単一の管体を複数回屈曲することにより形成されるものであり、図２に示すように、導入導出部５と、戻し部６と、これらを接続する往復部７とを備えている。
【００１３】
導入導出部５は、水道水の配管２０との接続が行われて水道水が導入される導入口（接続口）８と、同様に配管２０との接続が行われることにより水道水の導出が行われる導出口（接続口）９とを有している。これらの導入口８及び導出口９は、図１に示すように継手管２２を介して水道水の配管２０に連結される。この場合、導入導出部５は側面から見て矩形状に立ち上がる流路を複数重ね合うように形成されている。
【００１４】
戻し部６は、往復部７を介して導入導出部５に連通しており、導入導出部５の導入口８からの水道水を受け入れると共に、往復部７を介して導入導出部５に戻すように作用する。この戻し部６においても、側面から見て矩形状に立ち上がる流路を複数重ね合うように形成されている。なお、導入導出部５及び戻し部６は、仕切りボックス１２，１３に囲まれているが、仕切りボックス１２，１３は後述する磁気処理部３を挟むものであり、これにより、磁気処理部３の安定した固定が可能となっている。
【００１５】
往復部７は、導入導出部５及び戻し部６の間に設けられて、これらを連通させるものである。往復部７は、導入導出部５及び戻し部６における流路を直線的に接続するものであり、図２の矢印で示すように、導入口８を始めとした導入導出部５からの水道水を戻し部６に移動させる方向ａ１と、戻し部６からの水道水を導入導出部５に移動させる方向ａ２の正逆２方向の流路となっており、これらの流路が平行な横並びとなるように配置されている。
【００１６】
以上のような管路部２においては、導入口８から導入された水道水は往復部７を矢印ａ１方向に移動して戻し部６に入り、その後、戻し部６から往復部７をａ１方向と逆の矢印ａ２方向に移動して導入導出部５に入り、さらに、導入導出部５から往復部７をａ１方向に移動して戻し部６に入り、以下、順次同様な流れとなって移動する。従って、このような構造では、水道水は往復部７を往復方向に移動するようになっている。
【００１７】
磁気処理部３は、管路部２における往復部７に対応するように配置される。この磁気処理部３は、往復部７が貫通しており、これにより往復部７が磁気処理部３の内部に配置されている。磁気処理部３は、往復部７を移動する水道水に対して磁力を作用させるものであり、そのための永久磁石（図示省略）が配置されている。
【００１８】
永久磁石は、Ｎ極とＳ極とが対向しても良く、Ｎ極とＮ極、Ｓ極とＳ極が対向しても良い。これらの磁極としては、往復部７における横並び状の流路を挟むように配置しても良く、往復部７におけるそれぞれの流路を挟むように配置しても良い。前者の場合には、対向配置した磁極によって往復部７の全ての流路に対して磁力を作用させることができるため、少ない数の永久磁石で良く、構造が簡単で安価とすることができる。一方、後者の場合には、それぞれの流路に対して磁極を作用させることができるため、水道水の活性化を効果的に行うことができる。いずれの磁極の配置構造においても、水道水は往復部７を往復方向に移動し、この往復移動の際に磁気作用を受ける。このため、磁気作用を長時間受けることになり、良好な活性化を行うことができる。
【００１９】
このような構造では、磁気の作用を増大させるために、磁石の数を多くしたり、磁力を大きくする必要がなく、安価とすることができる。
【００２０】
ケース４は、以上の管路部２及び磁気処理部３が組み付けられた状態で収納されるものである。この場合、導入口８及び導出口９は、ケース４の外側に引き出されており、これにより配管２０との接続が可能となっている。管路部２及び磁気処理部３を組み付け状態で収納することにより、施工場所でこれらを組み付ける必要がなくなるため、設置作業を簡単に行うことができる。また、管路部２及び磁気処理部３を別個に取り扱う必要がなくなるため、運搬や格納等における取り扱い性が向上する。
【００２１】
以上の磁気処理装置１は、メーターボックス２１と同様に地中に埋設して設置しても良く、地上に設置しても良いものである。
【００２２】
図６（Ａ），（Ｂ）は、本発明の別の実施の形態を示し、管路部２は両端部に導入口８及び導出口９を備えており、磁気処理部３は磁石３ａ，３ｂを備えている。
【００２３】
磁石３ａ，３ｂは、対向面における磁極が逆となるように配置されており、例えば、磁石３ａの対向面がＮ極の場合、磁石３ｂの対向面がＳ極となる。磁気処理部３は、このような磁石３ａ，３ｂが交互に配置されるものであり、これにより磁気処理部３の内部が磁力領域１５となっている。
【００２４】
図６（Ａ）において、管路部２は複数回折り返されることにより、ジグザグ状に屈曲された構造となっており、導入口８から導入された液体は、管路部２内を往復方向に移動する。そして、管路部２は、導入口８及び導出口９を除くほとんどの部分が、磁力領域１５の磁力方向と直交する方向となるように磁気処理部３の内部に挿入されている。これにより、液体は管路部２を往復方向に移動する間に磁気作用を受けるため、磁気作用を長時間受けることができる。
【００２５】
図６（Ｂ）において、管路部２は渦巻き状に巻かれており、巻かれた状態で磁気処理部３の内部に挿入されている。これにより、管路部２は磁気処理部３の磁力領域１５内に配置された状態となっており、導入口８からの液体は管路部２内を移動する際に、磁力領域１５内を往復方向に移動する。このため、液体は管路部２内を移動する間の長時間、磁気作用を受けることができ、活性化等の処理を効率的に行うことができる。なお、管路部２は、液体の流れが複数回往復移動するような構成であれば、以上の実施形態に限定されるものでないことは勿論である。
【００２６】
【発明の効果】
請求項１の発明によれば、管路部に導入された液体が磁気処理部の磁力領域内を往復方向に移動しながら磁気の作用を受けるため、液体は長時間磁気の作用を受け、効果的な活性化等を行うことができる。このため、磁石の数を多くしたり、磁力を大きくすることなく、目的の磁気作用を液体に与えることができる。
【００２７】
請求項２の発明によれば、請求項１の発明の効果を有するのに加えて、磁気処理部及び管路部が組み付けられた状態でケース内に収納されているため、これらを組み付ける必要がないと共に、設置が簡単となり、取り扱い性が向上する。
【図面の簡単な説明】
【図１】本発明の一実施の形態の全体斜視図である。
【図２】一実施形態の管路部の斜視図である。
【図３】管路部の平面図である。
【図４】管路部の正面図である。
【図５】管路部の側面図である。
【図６】（Ａ），（Ｂ）は本発明の別の実施の形態の平面図をそれぞれ示す。
【符号の説明】
１　　磁気処理装置
２　　管路部
３　　磁気処理部
７　　往復部
２０　配管
【図１】
2004050002.tif 000003
【図２】
2004050002.tif 000004
【図３】
2004050002.tif 000005
【図４】
2004050002.tif 000006
【図５】
2004050002.tif 000007
【図６】
2004050002.tif 000008